【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】 第１の端部と第２の端部とを有する薬莢であって、薬莢の第２の端部が発射体に隣接する前記薬莢、及び 
ある長さ、幅、及び厚さを有する強力な発射薬材料製の第１の複数のストリップであって、薬莢内に置かれかつ第１の複数のストリップの長さが弾薬筒の第１の端部から第２の端部に伸びている線と平行である前記第１の複数のストリップを備えた発射体を発射するための発射薬システム。
【請求項２】 ある長さ、幅、及び厚さを有する強力な発射薬材料製の第２の複数のストリップであって、薬莢内に置かれかつ第２の複数のストリップの長さが弾薬筒の第１の端部から第２の端部に伸びている線と平行である前記第２の複数のストリップを備え、更に第１の複数のストリップが第２の複数のストリップより幅広である請求項１に説明された発射薬システム。
【請求項３】 薬莢の第１の端部を覆っているスタブケースを更に備える請求項２に説明された発射薬システム。
【請求項４】 第１の複数のストリップの長さ及び第２の複数のストリップの長さが発射体からスタブケースに伸びる請求項３に説明された発射薬システム。
【請求項５】 スタブケースから薬莢内に伸びている点火装置を更に備える請求項４に説明された発射薬システム。
【請求項６】 薬莢が外壁と軸方向中心とを有し、第１の複数のストリップは、第１の複数のストリップの幅が薬莢の外壁から薬莢の軸方向中心に向かって半径方向に伸びるように置かれる請求項５に説明された発射薬システム。
【請求項７】 発射体が弾薬筒内に伸びるテールを有し、第１の複数のストリップがテールに隣接する請求項６に説明された発射薬システム。
【請求項８】 第１の複数のストリップと第２の複数のストリップとが、薬莢の軸方向中心のまわりで半径方向対称に置かれる請求項７に説明された発射薬システム。
【請求項９】 ある長さ、幅、及び厚さを有する強力な発射薬材料製の第３の複数のストリップであって、薬莢内に置かれかつ第３の複数のストリップの長さが弾薬筒の第１の端部から第２の端部に伸びている線と平行である前記第３の複数のストリップを備え、更に第２の複数のストリップが第３の複数のストリップより幅広である請求項８に説明された発射薬システム。
【請求項１０】 第１の複数のストリップと第２の複数のストリップとが薬莢の軸方向中心のまわりで半径方向対称に置かれる請求項６に説明された発射薬システム。
【請求項１１】 ある長さ、幅、及び厚さを有する強力な発射薬材料製の第３の複数のストリップであって、薬莢内に置かれかつ第３の複数のストリップの長さが弾薬筒の第１の端部から第２の端部に伸びている線と平行である前記第３の複数のストリップを備え、更に第２の複数のストリップが第３の複数のストリップより幅広である請求項１０に説明された発射薬システム。
【請求項１２】 ある長さ、幅、及び厚さを有する強力な発射薬材料製の第３の複数のストリップであって、薬莢内に置かれかつ第３の複数のストリップの長さが弾薬筒の第１の端部から第２の端部に伸びている線と平行である前記第３の複数のストリップを備え、更に第２の複数のストリップが第３の複数のストリップより幅広である請求項２に説明された発射薬システム。
【請求項１３】 ある長さ、幅、及び厚さを有する強力な発射薬材料製の第１の複数のストリップを作り、 
第１の端部と第２の端部とを有する弾薬筒内に第１の複数のストリップを置き、ここに第１の複数のストリップの長さは弾薬筒の第１の端部から第２の端部に伸びている線と平行であり、更に 
弾薬筒の第２の端部に最も密着して発射体を置く
諸段階を含む発射薬システムの提供方法。
【請求項１４】 ある長さ、幅、及び厚さを有する強力な発射薬材料製の第２の複数のストリップを作り、 
第１の端部と第２の端部とを有する弾薬筒内に第２の複数のストリップを置き、ここに第２の複数のストリップの長さは弾薬筒の第１の端部から第２の端部に伸びている線と平行である
諸段階を更に含む請求項１３に説明された方法。
【請求項１５】 弾薬筒の第１の端部が開口しており、更に弾薬筒の第１の端部を覆う段階を更に含む請求項１４に説明された方法。
【請求項１６】 ある長さ、幅、及び厚さを有する強力な発射薬材料製の第３の複数のストリップを作り、 
第１の端部と第２の端部とを有する弾薬筒内に第３の複数のストリップを置き、ここに第２の複数のストリップの長さは弾薬筒の第１の端部から第２の端部に伸びている線と平行である
諸段階を更に含む請求項１５に説明された方法。
【請求項１７】 弾薬筒が外壁と第１の端部から第２の端部に伸びている中心線を有し、更に、第１の複数のストリップの幅、第２の複数のストリップの幅、及び第３の複数のストリップの幅が弾薬筒壁から中心線に向かって伸びる請求項１６に説明された方法。
【請求項１８】 第１の複数のストリップ、第２の複数のストリップ、及び第３の複数のストリップが、中心線について半径方向対称である請求項１７に説明された方法。
【請求項１９】 弾薬筒が、弾薬筒壁と第１の端部から第２の端部に伸びている中心線とを有し、更に、第１の複数のストリップの幅及び第２の複数のストリップの幅が弾薬筒壁から中心線に向かって伸びる請求項１４に説明された方法。
【請求項２０】 第１の複数のストリップ及び第２の複数のストリップが中心線について半径方向対称である請求項１９に説明された方法。
【請求項２１】 ある長さと幅とを有する発射薬材料の第１のストリップであって、発射薬材料の長さが発射薬材料の幅よりも大きく、第１のストリップが平面よりなる前記第１のストリップ。
【請求項２２】 平面よりなる発射薬材料の少なくも１個の追加ストリップが、発射薬材料のストリップの組を形成するように発射薬材料の第１のストリップと組み合わせられる請求項２１による発明。
【請求項２３】 発射薬材料のストリップが浮き出しにされた面を有する請求項２２による発明。
【請求項２４】 発射薬材料の第１のストリップが第１のストリップの長さを定めている第１の縁、及び第１の縁と平行でない第２の縁を有する請求項２２による発明。
【請求項２５】 第１の縁と第２の縁とが互いに異なった半径を定める請求項２４による発明。
【請求項２６】 ある長さ、幅、及び厚さを有する強力な発射薬材料製の第１の複数のストリップを作り、 
第１の端部と第２の端部とを有するシェルケーシング内に第１の複数のストリップを置き、ここに第１の複数のストリップの長さはシェルケーシングの第１の端部から第２の端部に伸びている線と平行である
諸段階を含む発射薬システムの提供方法。
【請求項２７】 ある長さ、幅、及び厚さを有する強力な発射薬材料製の第２の複数のストリップを作り、 第１の端部と第２の端部とを有するシェルケーシング内に第２の複数のストリップを置き、ここに第２の複数のストリップの長さはシェルケーシングの第１の端部から第２の端部に伸びている線と平行である諸段階を更に含む請求項２６に説明された方法。
【請求項２８】 シェルケーシングの第１の端部が開口し、更にシェルケーシングの第１の端部を覆う段階を更に含む請求項２７に説明された方法。
【請求項２９】 ある長さ、幅、及び厚さを有する強力な発射薬材料製の第３の複数のストリップを作り、 
第１の端部と第２の端部とを有するシェルケーシング内に第３の複数のストリップを置き、ここに第3の複数のストリップの長さはシェルケーシングの第１の端部から第２の端部に伸びている線と平行である
諸段階を更に含む請求項２８に説明された方法。
【請求項３０】 シェルケーシングがケーシング壁と第１の端部から第２の端部に伸びている中心線とを有し、更に、第１の複数のストリップの幅、第２の複数のストリップの幅、及び第３の複数のストリップの幅が、シェルケーシングの壁からシェルケーシングの中心線に向かって伸びる請求項２９に説明された方法。
【請求項３１】 第１の複数のストリップ、第２の複数のストリップ、及び第３の複数のストリップが、シェルケーシングの中心線について半径方向対称である請求項３０に説明された方法。
【請求項３２】 シェルケーシングがケーシング壁と第１の端部から第２の端部に伸びている中心線とを有し、更に、第１の複数のストリップの幅及び第２の複数のストリップの幅が、シェルケーシングの壁からシェルケーシングの中心線に向かって伸びている請求項２７に説明された方法。
【請求項３３】 第１の複数のストリップ及び第２の複数のストリップが、シェルケーシングの中心線について半径方向対称である請求項３２に説明された方法。